(57)【要約】【課題】  ポンプ施設における部品のさらなる集約化により、ポンプ施設の小型化と、製造コスト及び据え付け工事費の削減を図ることである。【解決手段】  従来ヘッダー管又は吐出管とは別部品として設けられていた逆止弁、止水弁、ウオ―ターハンマー防止装置の機能をヘッダー管又は吐出管に集約してあるので、部品数が減少し、製造コストと据え付け工事費が大幅に削減されるとともに、構造の簡略化に伴い、故障の発生頻度減少が期待できるので、メインテナンス費用の削減も可能となる。【選択図】図１
2014043939.tif 000002
【特許請求の範囲】
【請求項１】
下方を向いた流入口を有する少なくとも一つの流入路と、前記流入路の上部に連通する上方を向いた流出口を有する少なくとも一つの流出路と、前記流入路の部分に設けられてなる逆止弁と、前記流入路を閉塞する機能を有する止水弁とを有することを特徴とするヘッダー管又は吐出管。
【請求項２】
前記逆止弁は、前記流入口を閉塞する形状の部材を有し、前記流入口に設けられた弁座と、前記流入口の上部に設けられてなる退避路との間を移動するように、配置されてなることを特徴とする、請求項１に記載のヘッダー管又は吐出管。
【請求項３】
前記止水弁は、前記流入口に対向する部分に設けられてなる雌ネジと、前記雌ネジに螺合する雄ネジを有する部材を有し、前記ネジの回転により、前記逆止弁を前記流入口の方向に移動させて流入口を閉塞する機能を有することを特徴とする、請求項１ないし請求項２のいずれかに記載のヘッダー管又は吐出管。
【請求項４】
前記逆止弁の底部にウオ―ターハンマー防止装置が設けられてなることを特徴とする、請求項１ないし請求項３のいずれかに記載のヘッダー管又は吐出管。
【請求項５】
請求項１ないし請求項４のいずれかに記載のヘッダー管又は吐出管を有することを特徴とするポンプ施設。
【発明の詳細な説明】
【技術分野】
【０００１】
本発明は、各種の水処理に用いられるポンプ施設に用いられるヘッダー管又は吐出管と、そのヘッダー管又は吐出管が取り付けられたポンプ施設に関する。
【背景技術】
【０００２】
上水、下水、農工業用の用水などの利用には、ポンプ施設は必須である。図３は、マンホールなどに設置されている一般的なポンプ施設の外観を示す概略図である。図３において、４０はマンホール、４１はヘッダー管、４２は流入管、４３ａ、４３ｂは立ち上がり管、４４ａ、４４ｂは空気抜き弁、４５ａ、４５ｂは逆止弁、４６ａ、４６ｂは止水弁、４７ａ、４７ｂはポンプ、４８ａ、４８ｂは水吸入口、４９は圧送管である。
【０００３】
図３に示したように、マンホールなどに設置されているポンプ施設は、２台のポンプ４７ａ、４7ｂが配置され、処理量に応じて、いずれか一方または両方のポンプを作動させるのが一般的であり、吸い上げられた水は、ヘッダー管４１を経由して圧送される。このため、それぞれのポンプに、立ち上がり管、逆止弁、止水弁、ウオ―ターハンマー防止装置付弁体が必要となり、製造コストや据え付け工事費の増加に繋がっている。
【０００４】
これに対処するため、本発明者は、特許第４９６０５２０号で、逆止弁と止水弁の機能をヘッダー管に付与して集約することで、部品点数の減少し、ひいては製造コストと据え付け工事費の低減が可能となることを開示している。しかし、ここに開示されているポンプ施設においても、なお部品点数の削減とコンパクト化が要求されているのが実状である。
【０００５】
ウオ―ターハンマー防止に対してはフライホール付ポンプ、エアーベッセル等の対策が必要となり、多大なコストを強いられている。
【先行技術文献】
【特許文献】
【０００６】
【特許文献１】特許第４９６０５２０号
【特許文献２】特願２０１２−１０５４９３
【特許文献３】特願２０１２−１３３３７３
【発明の概要】
【発明が解決しようとする課題】
【０００７】
従って、本発明の課題は、ポンプ施設における部品のさらなる集約化により、ポンプ施設の小型化と、製造コスト及び据え付け工事費の削減を図ることである。
【課題を解決するための手段】
【０００８】
本発明者は前記の課題に鑑み、ポンプ設備の構造について再検討を行った結果、逆止弁と、止水弁と、弁体底部にウオ―ターハンマー防止装置とをヘッダー管に組み込むことが可能であることを見出し、本発明をなすに至ったものである。
【０００９】
即ち、本発明は、下方を向いた流入口を有する少なくとも一つの流入路と、前記流入路の上部に連通する上方を向いた流出口を有する少なくとも一つの流出路と、前記流入路の部分に設けられてなる逆止弁と、前記流入路を閉塞する機能を有する止水弁と、弁体底部にウオ―ターハンマー防止装置付弁体を有する前記逆止弁とを特徴とするヘッダー管又は吐出管である。
【００１０】
また、本発明は、前記逆止弁が、前記流入口を閉塞する形状の部材を有し、前記流入路上流に設けられた弁座と、前記流入口の上部に設けられてなる退避路との間を移動するように、配置されてなることを特徴とする、前記のヘッダー管である。
【００１１】
また、本発明は、前記逆止弁の底部にバネによる緩衝装置を有することを特徴とする    、前記のヘッダー管又は吐出管である。
【００１２】
また、本発明は、前記止水弁が、前記流入口に対向する部分に設けられてなる雌ネジと、前記雌ネジに螺合する雄ネジを有する部材を有し、前記ネジの回転により、前記逆止弁を前記流入口の方向に移動させて流入口を閉塞する機能を有することを特徴とする、前記のヘッダー管又は吐出管である。
【００１３】
また、本発明は、前記のヘッダー管又は吐出管を有することを特徴とするポンプ施設である。
【発明の効果】
【００１４】
本発明によるポンプ施設は、従来ヘッダー管又は吐出管とは別部品として設けられていた逆止弁、止水弁、ウオ―ターハンマー防止装置付弁体の機能をヘッダー管に集約してあるので、部品数が減少し、製造コストと据え付け工事費が削減されるとともに、構造の簡略化に伴い、故障の発生頻度減少が期待できるので、メインテナンス費用の削減も可能となる。
【図面の簡単な説明】
【００１５】
【図１】本発明に係るヘッダー装置のポンプ施設の一例の外観を示す概略図。
【図２】本発明に係るヘッダー管の一例を示す図、図２（ａ）は正面の断面図、図２（ｂ）はＡＡ断面図、図２（ｃ）は弁体の斜視図、図２（ｄ）弁の拡大断面図。
【図３】一般的なポンプ施設の外観を示す概略図。
【図４】本発明に係る吐出管のポンプ施設の一例の外観を示す概略図、図４（ａ）。          一般的なポンプ施設の外観を示す概略図、図４（ｂ）
【発明を実施するための形態】
【００１６】
次に具体的な図に基づいて、本発明の実施の形態について説明する。
【００１７】
図１は、本発明に係るポンプ施設の一例の外観を示す概略図である。図１において、１０はマンホール、１１はヘッダー管、１２は流入管、１３ａ、１３ｂは立ち上がり管、１４ａ、１４ｂはポンプ、１５ａ、１５ｂは水吸入口、１６は圧送管である。図１に示したポンプ施設には、図３に示したポンプに、別部品として設置されている、空気抜き弁４４ａ、４４ｂ、逆止弁４５ａ、４５ｂ、止水弁４６ａ、４６ｂがなく、後述するように、ヘッダー管１１にその機能が集約されている。
【００１８】
図２は、本発明に係るヘッダー管の一例を示す図で、図２（ａ）は正面の断面図、図２（ｂ）はＡＡ断面図、図２（ｃ）は逆止弁の斜視図、図２（ｄ）は弁の拡大断面図である。なお、表記上の都合から、図２（ａ）は、図の左側がヘッダー管を設置する際の上方向になるように記載してある。
【００１９】
図２に示したように、本発明に係るヘッダー管２０には、逆止弁２２ａ，２２ｂ、止水弁２７ａ、２７ｂが備えられていて、おもな構成要素は、チーズ管２１ａ、２１ｂ、２１ｃ、フランジ２４ａ、２４ｂ、２４ｃ、２４ｄ、２４ｅ、ブラインドフランジ２５ａ、２５ｂで、フランジ類はパッキンを介してボルトで接合されている。
【００２０】
ここに示したヘッダー管は、流入口２９ａ、２９ｂ、流出口３０を備え、流入口２９ａ、２９ｂ下流側に部分にリング状の弁座２３ａ、２３ｂを設け、多機能ヘッダー装置の流入口２９ａ、２９ｂの流出口３０の側には逆止弁２２ａ、２２ｂを退避させる退避路３１ａ、３１ｂを形成している。弁座２３ａ、２３ｂの内径は逆止弁２２ａ、２２ｂの寸法よりも小さくしてあるので、流入口２９ａ、２９ｂからポンプ側へ外れてしまうことはない。
【００２１】
さらに、この逆止弁の場合は、図２（ｂ）に示したように、逆止弁ガイド棒３２に沿った状態で動作するようになっているので、逆止弁２２ａ、２２ｂは不測の方向へ動くことなく、弁座２３ａ、２３ｂと退避路３１ａ、３１ｂとの間を円滑に動作する。つまり、ポンプの静止状態で弁座２３ａ、２３ｂに着座している逆止弁２２ａ、２２ｂは、ポンプ始動による吐出圧により垂直に押上げられて、退避路３１ａ、３１ｂの空間に収納され、水を排出口３０側へ送るようになっている。
【００２２】
また、ポンプ停止時には、伸縮バネ３５による戻り力と逆流水圧３３により、底板３４を押上げ、瞬時に元の状態に戻り一連の動作が終了することにより、急閉式のウォーターハンマー（水撃）防止効果がある。
【００２３】
ここに示した止水弁２７ａ、２７ｂは、ブラインドフランジ２５ａ、２５ｂに設けられた雌ネジ部２６ａ、２６ｂに螺合する雄ネジを有し、ヘッダー管内への異物の侵入などの不測の事態が生じた際に、雄ネジを回転させることで、逆止弁２２ａ、２２ｂを流入口２９ａ、２９ｂの方へ移動させ、流入口２９ａ、２９ｂを閉塞することができる。
【００２４】
ここ示した例では、雄ネジのヘッドの形状が通常のボルトの六角形となっていて、回転させるにはスパナが必要となるが、適宜ハンドルを取り付けることにより、作業性を向上できるのは論を俟たない。
【００２５】
以上に説明したように本発明によれば、従来よりも部品数が少なく、据え付け工事に要する工数も削減可能なポンプ施設を提供することができる。なお、本発明は、前記実施の形態に限定されるものではなく、例えば別形状の逆止弁、止水弁、弁体底部にウオ―ターハンマー防止装置を用いるような、本発明の分野における通常の知識を有する者であれば想到し得る、各種変形、修正を含む、本発明の要旨を逸脱しない範囲の設計変更があっても、本発明に含まれることは勿論である。
【符号の説明】
【００２６】
１０，４０  マンホール                              
１１，２０，４１  ヘッダー管                          
１２，４２  流入管
１３ａ，１３ｂ，４３ａ，４３ｂ  立ち上がり管
１４ａ，１４ｂ，４７ａ，４７ｂ  ポンプ
１５ａ，１５ｂ，４８ａ，４８ｂ  水吸入口
１６，４９  圧送管
２１ａ，２１ｂ，２１ｃ  チーズ管
２２，２２ａ，２２ｂ，４５ａ，４５ｂ  逆止弁
２３ａ，２３ｂ  弁座
２４ａ，２４ｂ，２４ｃ，２４ｄ，２４ｅ  フランジ
２５ａ，２５ｂ  ブラインドフランジ
２６ａ，２６ｂ  雌ネジ部
２７ａ，２７ｂ，４６ａ，４６ｂ  止水弁
２８ａ，２８ｂ，４４ａ，４４ｂ  空気抜き弁
２９ａ，２９ｂ  流入口
３０  流出口
３１ａ、３１ｂ  退避路
３２  逆止弁ガイド棒
３３  逆流水圧  
３４  底板  
３５  伸縮バネ  
【図１】
2014043939.tif 000003
【図２】
2014043939.tif 000004
【図３】
2014043939.tif 000005
【図４】
2014043939.tif 000006
【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
下方を向いた流入口を有する少なくとも一つの流入路と、前記流入路の上部に連通する上方を向いた流出口を有する少なくとも１つの流出路と、前記流入路の部分に設けられてなる逆止弁と、前記流入路を閉塞する機能を有する止水弁とを有するヘッダー管又は吐出管において、前記逆止弁の底部にウオーターハンマー防止装置が設けられてなることを特徴とするヘッダー管又は吐出管。
【請求項２】
前記逆止弁は、前記流入口を閉塞する形状の部材を有し、前記流入口に設けられた弁座と、前記流入口の上部に設けられてなる退避路との間を移動するように、配置されてなることを特徴とする、請求項１に記戦のヘッダー管又は吐出管。
【請求項３】
前記止水弁は、前記流入口に対向する部分に設けられてなる雌ネジと、前記雌ネジに螺合する雄ネジを有する部材を有し、前記ネジの回転により、前記逆止弁を前記流入口の方向に移動させて流入口を閉塞する機能を有することを特徴とする、請求項１又は請求項２に記載のヘッダー管又は吐出管。
【請求項４】
請求項１ないし請求項３のいずれかに記載のヘッダー管又吐出管を有することを特徴
とするポンプ施設。